(57)【要約】【課題】特定の輝度範囲への設定変更に関する情報をユーザに提供することができる再生装置を提供する。【解決手段】再生装置４は、表示装置６と通信する通信部２６と、表示装置６における輝度範囲の現在の設定内容を示す設定情報を、表示装置６から通信部２６を介して取得する制御部３７とを備える。制御部３７は、表示装置６において特定の輝度範囲に設定されていない場合に、表示装置６と当該表示装置６において設定可能な輝度範囲との対応関係を示す対応情報に基づいて、特定の輝度範囲への設定変更に関する情報を、通信部２６を介して表示装置６に送信する。【選択図】図１
2019140430.tif 000002
【特許請求の範囲】
【請求項１】
表示装置と接続される再生装置であって、
前記表示装置と通信する通信部と、
前記表示装置における輝度範囲の現在の設定内容を示す設定情報を、前記表示装置から前記通信部を介して取得する制御部と、を備え、
前記制御部は、前記表示装置において特定の輝度範囲に設定されていない場合に、前記表示装置と当該表示装置において設定可能な輝度範囲との対応関係を示す対応情報に基づいて、前記特定の輝度範囲への設定変更に関する情報を、前記通信部を介して前記表示装置に送信する
再生装置。
【請求項２】
前記再生装置は、さらに、前記対応情報を予め記憶する記憶部を備える
請求項１に記載の再生装置。
【請求項３】
前記再生装置は、さらに、前記対応情報を更新するための更新情報を保持する外部装置とネットワークを介して接続可能であり、
前記再生装置は、さらに、前記外部装置からの前記更新情報を受信する受信部を備え、
前記制御部は、さらに、受信された前記更新情報に基づいて、前記対応情報を更新する
請求項２に記載の再生装置。
【請求項４】
前記再生装置は、さらに、前記対応情報を保持する外部装置とネットワークを介して接続可能であり、
前記再生装置は、さらに、前記外部装置に対して前記対応情報の送信を要求するための要求信号を前記外部装置に送信し、前記要求信号に基づいて前記外部装置から送信された前記対応情報を受信する送受信部を備える
請求項１に記載の再生装置。
【請求項５】
前記対応情報は、複数種類の前記表示装置の各々と、当該表示装置において設定可能な輝度範囲との対応関係を示す情報である
請求項１〜４のいずれか１項に記載の再生装置。
【請求項６】
前記制御部は、さらに、前記表示装置に対して前記対応情報の送信を要求するための要求信号を、前記通信部を介して前記表示装置に送信し、前記要求信号に基づいて前記表示装置から送信された前記対応情報を、前記通信部を介して受信する
請求項１に記載の再生装置。
【請求項７】
前記表示装置は、前記再生装置と接続するための複数の接続端子を備えており、
前記制御部は、さらに、前記再生装置が前記複数の接続端子の各々と接続される毎に前記設定情報を取得し、取得した複数の前記設定情報に基づいて前記対応情報を生成する
請求項１に記載の再生装置。
【請求項８】
前記対応情報は、前記表示装置において前記特定の輝度範囲に設定する方法を示す設定方法情報を含み、
前記制御部は、前記設定方法情報に基づいて、前記表示装置に対して前記特定の輝度範囲に設定変更するように指示するための指示情報を、前記通信部を介して前記表示装置に送信する
請求項１に記載の再生装置。
【請求項９】
前記設定情報は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報であり、
前記特定の輝度範囲は、ＨＤＲ（Ｈｉｇｈ  Ｄｙｎａｍｉｃ  Ｒａｎｇｅ）である
請求項１〜８のいずれか１項に記載の再生装置。
【発明の詳細な説明】
【技術分野】
【０００１】
本発明は、表示装置と接続される再生装置に関する。
【背景技術】
【０００２】
例えばＤＶＤ（Ｄｉｇｉｔａｌ  Ｖｅｒｓａｔｉｌｅ  Ｄｉｓｃ）プレーヤ又はＢＤ（Ｂｌｕ−ｒａｙ（登録商標）  Ｄｉｓｃ）プレーヤ等の再生装置が知られている。この再生装置は、例えばテレビジョン受像機等の表示装置と接続される。再生装置と表示装置との間で映像信号等を高速で伝送するための通信インタフェースとして、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）（登録商標）が用いられる。そのため、表示装置及び再生装置の各々は、ＨＤＭＩ接続するためのＨＤＭＩ端子を備えている。
【０００３】
近年、ＳＤＲ（Ｓｔａｎｄａｒｄ  Ｄｙｎａｍｉｃ  Ｒａｎｇｅ）よりも輝度範囲が拡大されたＨＤＲ（Ｈｉｇｈ  Ｄｙｎａｍｉｃ  Ｒａｎｇｅ）対応の映像コンテンツを再生可能な再生装置が提案されている（例えば、特許文献１参照）。ＨＤＲ対応の映像コンテンツを再生するためには、ユーザは、再生装置を表示装置のＨＤＲ対応のＨＤＭＩ端子に接続し、且つ、表示装置側で輝度範囲をＨＤＲに設定するための操作を実行する必要がある。
【先行技術文献】
【特許文献】
【０００４】
【特許文献１】特開２０１７−１４３５４６号公報
【発明の概要】
【発明が解決しようとする課題】
【０００５】
しかしながら、再生装置等の操作に不慣れなユーザは、再生装置が表示装置のＨＤＲ非対応のＨＤＭＩ端子に接続されている状態で、あるいは、表示装置側で輝度範囲がＳＤＲに設定されている状態で、ＨＤＲ対応の映像コンテンツを再生してしまう場合がある。このような場合には、ＨＤＲ対応の映像コンテンツが再生装置から表示装置に正しく出力されないという課題が生じる。
【０００６】
本発明は、上述した課題を解決しようとするものであり、その目的は、特定の輝度範囲への設定変更に関する情報をユーザに提供することができる再生装置を提供することである。
【課題を解決するための手段】
【０００７】
上記目的を達成するために、本発明の一態様に係る再生装置は、表示装置と接続される再生装置であって、前記表示装置と通信する通信部と、前記表示装置における輝度範囲の現在の設定内容を示す設定情報を、前記表示装置から前記通信部を介して取得する制御部と、を備え、前記制御部は、前記表示装置において特定の輝度範囲に設定されていない場合に、前記表示装置と当該表示装置において設定可能な輝度範囲との対応関係を示す対応情報に基づいて、前記特定の輝度範囲への設定変更に関する情報を、前記通信部を介して前記表示装置に送信する。
【０００８】
本態様によれば、表示装置において特定の輝度範囲に設定されていない場合に、対応情報に基づいて特定の輝度範囲への設定変更に関する情報を表示装置に送信するので、特定の輝度範囲への設定変更に関する情報をユーザに提供することができる。これにより、例えば、ユーザは、提供された情報に基づいて、表示装置において特定の輝度範囲に設定変更する操作等を実行することができる。
【０００９】
例えば、本発明の一態様に係る再生装置において、前記再生装置は、さらに、前記対応情報を予め記憶する記憶部を備えるように構成してもよい。
【００１０】
本態様によれば、対応情報を再生装置に予め記憶しておくことができる。これにより、対応情報を記憶部から比較的短時間で読み出すことができる。
【００１１】
例えば、本発明の一態様に係る再生装置において、前記再生装置は、さらに、前記対応情報を更新するための更新情報を保持する外部装置とネットワークを介して接続可能であり、前記再生装置は、さらに、前記外部装置からの前記更新情報を受信する受信部を備え、前記制御部は、さらに、受信された前記更新情報に基づいて、前記対応情報を更新するように構成してもよい。
【００１２】
本態様によれば、外部装置からの更新情報に基づいて対応情報を更新することができる。
【００１３】
例えば、本発明の一態様に係る再生装置において、前記再生装置は、さらに、前記対応情報を保持する外部装置とネットワークを介して接続可能であり、前記再生装置は、さらに、前記外部装置に対して前記対応情報の送信を要求するための要求信号を前記外部装置に送信し、前記要求信号に基づいて前記外部装置から送信された前記対応情報を受信する送受信部を備えるように構成してもよい。
【００１４】
本態様によれば、対応情報が外部装置に保持されているので、対応情報を再生装置に予め記憶させておく必要が無く、再生装置における記憶容量を節約することができる。また、外部装置において対応情報の更新処理を容易に実行することができる。
【００１５】
例えば、本発明の一態様に係る再生装置において、前記対応情報は、複数種類の前記表示装置の各々と、当該表示装置において設定可能な輝度範囲との対応関係を示す情報であるように構成してもよい。
【００１６】
本態様によれば、対応情報が例えば各社製の表示装置に関する情報を含むことにより、対応情報の汎用性を高めることができる。
【００１７】
例えば、本発明の一態様に係る再生装置において、前記制御部は、さらに、前記表示装置に対して前記対応情報の送信を要求するための要求信号を、前記通信部を介して前記表示装置に送信し、前記要求信号に基づいて前記表示装置から送信された前記対応情報を、前記通信部を介して受信するように構成してもよい。
【００１８】
本態様によれば、対応情報が表示装置に保持されているので、対応情報を再生装置に予め記憶させておく必要が無く、再生装置における記憶容量を節約することができる。
【００１９】
例えば、本発明の一態様に係る再生装置において、前記表示装置は、前記再生装置と接続するための複数の接続端子を備えており、前記制御部は、さらに、前記再生装置が前記複数の接続端子の各々と接続される毎に前記設定情報を取得し、取得した複数の前記設定情報に基づいて前記対応情報を生成するように構成してもよい。
【００２０】
本態様によれば、例えば再生装置を購入後に初めて起動する際に、ユーザが再生装置を複数の接続端子の各々と順に接続することにより、接続する毎に取得した複数の設定情報に基づいて対応情報を生成することができる。
【００２１】
例えば、本発明の一態様に係る再生装置において、前記対応情報は、前記表示装置において前記特定の輝度範囲に設定する方法を示す設定方法情報を含み、前記制御部は、前記設定方法情報に基づいて、前記表示装置に対して前記特定の輝度範囲に設定変更するように指示するための指示情報を、前記通信部を介して前記表示装置に送信するように構成してもよい。
【００２２】
本態様によれば、表示装置に対して特定の輝度範囲に設定変更するように指示するための指示情報を表示装置に送信するので、表示装置において特定の輝度範囲に自動で設定変更することができる。これにより、ユーザの利便性を高めることができる。
【００２３】
例えば、本発明の一態様に係る再生装置において、前記設定情報は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報であり、前記特定の輝度範囲は、ＨＤＲ（Ｈｉｇｈ  Ｄｙｎａｍｉｃ  Ｒａｎｇｅ）であるように構成してもよい。
【００２４】
なお、本発明は、再生装置に含まれる特徴的な処理部としてコンピュータを機能させるためのプログラム又は再生方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２５】
本発明の一態様に係る再生装置によれば、特定の輝度範囲への設定変更に関する情報をユーザに提供することができる。
【図面の簡単な説明】
【００２６】
【図１】実施の形態１に係る再生システムの構成を示すブロック図である。
【図２】実施の形態１に係る対応情報の一例を示す図である。
【図３】実施の形態１に係る再生システムの動作を示すシーケンス図である。
【図４】実施の形態１に係る確認画面の表示例を示す図である。
【図５】実施の形態１に係る確認画面の表示例を示す図である。
【図６】実施の形態２に係る再生システムの構成を示すブロック図である。
【図７】実施の形態２に係る再生システムの動作を示すシーケンス図である。
【図８】実施の形態３に係る再生システムの構成を示すブロック図である。
【図９】実施の形態３に係る再生システムの動作を示すシーケンス図である。
【図１０】実施の形態３に係る確認画面の表示例を示す図である。
【図１１】実施の形態３に係る確認画面の表示例を示す図である。
【図１２】実施の形態４に係る再生システムの構成を示すブロック図である。
【図１３】実施の形態４に係る再生システムの動作を示すシーケンス図である。
【図１４】実施の形態４に係る確認画面の表示例を示す図である。
【図１５】実施の形態５に係る再生システムの構成を示すブロック図である。
【図１６】実施の形態５に係る再生システムの動作を示すシーケンス図である。
【発明を実施するための形態】
【００２７】
以下、本発明の実施の形態について、図面を用いて詳細に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、独立請求項に記載されていない構成要素については、任意の構成要素として説明される。
【００２８】
（実施の形態１）
［１−１．再生システムの構成］
まず、図１を参照しながら、実施の形態１に係る再生システム２の構成について説明する。図１は、実施の形態１に係る再生システム２の構成を示すブロック図である。
【００２９】
図１に示すように、再生システム２は、再生装置４と、表示装置６とを備えている。再生装置４は、例えば、ＤＶＤ又はＢＤ等に格納された映像コンテンツを再生するためのデジタルビデオプレーヤである。表示装置６は、例えば、再生装置４により再生された映像コンテンツを表示するためのテレビジョン受像機である。
【００３０】
再生装置４及び表示装置６は、いずれもＨＤＭＩ機器である。再生装置４と表示装置６とは、ＨＤＭＩケーブル８を介して相互に接続されている。ＨＤＭＩケーブル８は、ＨＤＭＩ規格に準拠したケーブルであり、デジタル信号を伝送するためのケーブルである。なお、ＨＤＭＩ規格とは、映像信号及び音声信号をデジタル信号で伝送する通信インタフェースの標準規格である。
【００３１】
再生装置４は、ＨＤＭＩケーブル８を接続するためのＨＤＭＩ端子１０を備えている。また、表示装置６は、ＨＤＭＩケーブル８を接続するための複数のＨＤＭＩ端子１２，１４及び１６（複数の接続端子の一例）を備えている。なお、以下の説明において、複数のＨＤＭＩ端子１２，１４及び１６をそれぞれ、「ＨＤＭＩ端子１」、「ＨＤＭＩ端子２」及び「ＨＤＭＩ端子３」と呼ぶことがある。
【００３２】
また、再生装置４は、ネットワーク１８を介してサーバ装置２０（外部装置の一例）と接続されている。サーバ装置２０は、後述する対応情報の更新（アップデート）に関する更新情報が格納された記憶部２２を備えている。なお、ネットワーク１８は、例えばインターネットである。
【００３３】
［１−２．再生装置の構成］
次に、図１及び図２を参照しながら、実施の形態１に係る再生装置４の構成について説明する。図２は、実施の形態１に係る対応情報の一例を示す図である。
【００３４】
図１に示すように、再生装置４は、再生部２４と、通信部２６と、取得部２８と、記憶部３０と、処理部３２と、受信部３４と、更新実行部３６とを備えている。なお、取得部２８、処理部３２及び更新実行部３６は、制御部３７を構成する。制御部３７は、例えばプロセッサがハードディスク又は半導体メモリ等の記録媒体に記録されたソフトウェアプログラムを読み出して実行することによって実現される。
【００３５】
再生部２４は、例えばＤＶＤ又はＢＤ等に格納された映像コンテンツを再生する。映像コンテンツは、例えばＨＤＲ対応の映像コンテンツである。
【００３６】
通信部２６は、ＨＤＭＩ端子１０及びＨＤＭＩケーブル８を介して、表示装置６との間で各種データを送受信する。具体的には、通信部２６は、例えば表示装置６から送信されたＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報等を受信する。また、通信部２６は、再生部２４により再生された映像コンテンツ及び処理部３２により生成された画像信号等を表示装置６に送信する。
【００３７】
なお、ＥＤＩＤ情報は、例えば、ａ）表示装置６の対応解像度、ｂ）表示装置６のメーカー名、ｃ）表示装置６の型番、及び、ｄ）表示装置６における輝度範囲の現在の設定内容を示す設定情報等を含むデータである。すなわち、ＥＤＩＤ情報は、表示装置６における輝度範囲の現在の設定内容を示す設定情報の一例である。なお、表示装置６では、ＨＤＭＩ端子１２，１４及び１６毎に、輝度範囲としてＨＤＲ（特定の輝度範囲の一例）及びＳＤＲのいずれかを設定可能である。
【００３８】
取得部２８は、通信部２６を介して、表示装置６から送信されたＥＤＩＤ情報を取得する。取得部２８は、取得したＥＤＩＤ情報を処理部３２に出力する。
【００３９】
記憶部３０は、対応情報を予め記憶するためのメモリである。対応情報は、複数種類の表示装置の各々と、当該表示装置において設定可能な輝度範囲との対応関係を示すデータテーブルである。
【００４０】
対応情報は、例えば図２に示すようなデータテーブルである。図２に示す例では、対応情報は、再生装置４に接続されている表示装置６を含む、現在市場で販売されている各社製の種々の機種の表示装置に関する情報を含んでいる。例えば、対応情報の２行目には、「Ａ社」製の型番「Ａ−１０５」の表示装置に関する情報が格納されている。具体的には、対応情報の２行目には、ａ）表示装置のメーカー名「Ａ社」、ｂ）表示装置の型番「Ａ−１０５」、ｃ）表示装置のＨＤＭＩ端子の種類「ＨＤＭＩ端子１〜３」、ｄ）各ＨＤＭＩ端子の対応解像度「４Ｋ」、ｅ）各ＨＤＭＩ端子の対応フレームレート「６０Ｈｚ」、ｆ）各ＨＤＭＩ端子の対応輝度範囲「ＨＤＲ／非対応」、及び、ｇ）輝度範囲を設定する方法を示す設定方法情報「Ｍｅｎｕ＞Ｓｅｔｕｐ＞ＴＶ  Ｓｅｔｔｉｎｇｓ＞ＨＤＭＩ  ｍｏｄｅ」が格納されている。
【００４１】
ここで、対応輝度範囲については、「ＨＤＭＩ端子１」及び「ＨＤＭＩ端子２」の各々はＨＤＲに対応しているが、「ＨＤＭＩ端子３」はＨＤＲに対応していないことを示している。なお、「ＨＤＭＩ端子１」では、輝度範囲の設定の初期値が「ＨＤＲ」であるため、ＨＤＲ対応の映像コンテンツを再生する際には、ＨＤＭＩケーブル８を「ＨＤＭＩ端子１」に接続するだけでよく、表示装置６において輝度範囲の設定変更は不要である。一方、「ＨＤＭＩ端子２」では、輝度範囲の設定の初期値が「ＳＤＲ」であるため、ＨＤＲ対応の映像コンテンツを再生する際には、ＨＤＭＩケーブル８を「ＨＤＭＩ端子２」に接続するとともに、表示装置６において輝度範囲をＳＤＲからＨＤＲに設定変更する必要がある。
【００４２】
また、設定方法情報は、表示装置６において輝度範囲を設定する方法を示す情報である。具体的には、設定方法情報は、表示装置６に表示されるメニュー画面の階層構造を示している。例えば、「Ｍｅｎｕ」はメインメニュー画面を示し、「Ｓｅｔｕｐ」は表示装置のセットアップを実行するためのサブメニュー画面を示し、「ＴＶ  Ｓｅｔｔｉｎｇｓ」は表示装置の各種設定を実行するためのサブメニュー画面を示し、「ＨＤＭＩ  ｍｏｄｅ」は輝度範囲の設定を実行するためのサブメニュー画面を示している。ユーザは、輝度範囲を設定する際には、例えば表示装置６のリモコン等を操作することにより、「Ｍｅｎｕ」のメインメニュー画面から「Ｓｅｔｕｐ」及び「ＴＶ  Ｓｅｔｔｉｎｇｓ」の各サブメニュー画面を経て、「ＨＤＭＩ  ｍｏｄｅ」のサブメニュー画面を表示させる。
【００４３】
処理部３２は、取得部２８からのＥＤＩＤ情報に基づいて、表示装置６において輝度範囲がＨＤＲに設定されているか否かを判定する。また、処理部３２は、表示装置６において輝度範囲がＨＤＲに設定されていない場合に、記憶部３０に記憶された対応情報に基づいて、確認画面を表示装置６に表示させるための画像信号を生成する。処理部３２は、生成した画像信号を通信部２６に出力する。
【００４４】
なお、確認画面は、ＨＤＲへの設定変更に関する情報（特定の輝度範囲への設定変更に関する情報の一例）をユーザに提供するための画面である。すなわち、画像信号は、ＨＤＲへの設定変更に関する情報を含んでいる。ＨＤＲへの設定変更に関する情報とは、例えば、ユーザに対して、ＨＤＭＩケーブル８の接続先をＨＤＲ対応のＨＤＭＩ端子に変更すること、又は、表示装置６において輝度範囲をＳＤＲからＨＤＲに設定変更する操作を実行することを促すための情報である。確認画面の具体例については後述する。
【００４５】
受信部３４は、ネットワーク１８を介して、サーバ装置２０から送信された更新情報を受信する。受信部３４は、受信した更新情報を更新実行部３６に出力する。なお、サーバ装置２０は、定期的に（例えば数日毎に）更新情報を再生装置４に送信する。更新情報は、例えば新発売の機種の表示装置に関する情報を含んでいる。
【００４６】
更新実行部３６は、受信部３４からの更新情報に基づいて、記憶部３０に記憶されている対応情報を更新する。これにより、記憶部３０に記憶されている対応情報には、例えば新発売の機種の表示装置に関する情報が追加される。
【００４７】
［１−３．表示装置の構成］
次に、図１を参照しながら、実施の形態１に係る表示装置６の構成について説明する。図１に示すように、表示装置６は、通信部３８と、制御部４０とを備えている。
【００４８】
通信部３８は、ＨＤＭＩ端子１２（１４，１６）及びＨＤＭＩケーブル８を介して再生装置４との間で各種データを送受信する。具体的には、通信部３８は、例えば再生装置４から送信された映像コンテンツ及び画像信号等を受信する。また、通信部３８は、ＥＤＩＤ情報等を再生装置４に送信する。
【００４９】
制御部４０は、表示装置６における表示内容を制御する。具体的には、制御部４０は、例えば映像コンテンツ又は確認画面等を表示装置６に表示させる。
【００５０】
［１−４．再生システムの動作］
次に、図３〜図５を参照しながら、実施の形態１に係る再生システム２の動作について説明する。図３は、実施の形態１に係る再生システム２の動作を示すシーケンス図である。図４は、実施の形態１に係る確認画面４２及び４６の表示例を示す図である。図５は、実施の形態１に係る確認画面５０の表示例を示す図である。
【００５１】
図３に示すように、まず、ユーザは、表示装置６のＨＤＭＩ端子１２，１４及び１６のいずれかにＨＤＭＩケーブル８を接続し（Ｓ１０１）、再生装置４のＨＤＭＩ端子１０にＨＤＭＩケーブル８を接続する（Ｓ１０２）。
【００５２】
なお、以下の説明では、表示装置６が輝度範囲としてＨＤＲに対応しており、且つ、ＨＤＭＩケーブル８が接続されたＨＤＭＩ端子１２，１４及び１６のいずれかにおいて、輝度範囲がＳＤＲに設定されていることを前提として説明する。
【００５３】
表示装置６の通信部３８は、ＥＤＩＤ情報を再生装置４に送信する（Ｓ１０３）。このＥＤＩＤ情報は、表示装置６において輝度範囲がＳＤＲに設定されていることを示す設定情報等を含んでいる。再生装置４の通信部２６は、表示装置６からのＥＤＩＤ情報を受信する（Ｓ１０４）。再生装置４の取得部２８は、通信部２６を介してＥＤＩＤ情報を取得し、取得したＥＤＩＤ情報を処理部３２に出力する。
【００５４】
再生装置４の処理部３２は、取得部２８からのＥＤＩＤ情報に基づいて、記憶部３０に記憶されている対応情報から必要な情報を読み出す（Ｓ１０５）。例えば、ＥＤＩＤ情報が、メーカー名「Ａ社」及び型番「Ａ−１０５」を含んでいる場合には、処理部３２は、対応情報からメーカー名「Ａ社」及び型番「Ａ−１０５」に対応する情報（図２に示す対応情報の２行目の情報）を読み出す。
【００５５】
処理部３２は、ＥＤＩＤ情報に基づいて、表示装置６において輝度範囲がＨＤＲに設定されていないと判定する（Ｓ１０６）。なお、図示しないが、仮に、表示装置６において輝度範囲がＨＤＲに既に設定されている場合には、処理が終了する。
【００５６】
また、処理部３２は、対応情報に基づいて、表示装置６が輝度範囲としてＨＤＲに対応していると判定する（Ｓ１０７）。例えば、表示装置６が「Ａ社」製の型番「Ａ−１０５」（図２参照）である場合には、「ＨＤＭＩ端子１」及び「ＨＤＭＩ端子２」の各々がＨＤＲ対応であるため、処理部３２は、表示装置６が輝度範囲としてＨＤＲに対応していると判定する。
【００５７】
なお、図示しないが、仮に、表示装置６が例えば「Ａ社」製の型番「Ａ−１０３」（図２参照）である場合には、「ＨＤＭＩ端子１」、「ＨＤＭＩ端子２」及び「ＨＤＭＩ端子３」が全てＨＤＲ非対応であるため、処理部３２は、表示装置６が輝度範囲としてＨＤＲに対応していないと判定する。この場合には、処理が終了する。
【００５８】
処理部３２は、対応情報に基づいて、確認画面を表示装置６に表示させるための画像信号を生成し、生成した画像信号を通信部２６に出力する。再生装置４の通信部２６は、画像信号を表示装置６に送信（出力）する（Ｓ１０８）。すなわち、処理部３２は、生成した画像信号を、通信部２６を介して表示装置６に送信する。
【００５９】
表示装置６の通信部３８は、再生装置４からの画像信号を受信（入力）する（Ｓ１０９）。表示装置６の制御部４０は、入力された画像信号に基づいて、確認画面を表示装置６に表示させる（Ｓ１１０）。
【００６０】
ここで、ステップＳ１１０における確認画面の表示例について説明する。まず、図４を参照しながら、表示装置６が「Ａ社」製の型番「Ａ−１０５」（図２参照）である場合における確認画面４２の表示例について説明する。図４の（ａ）に示すように、表示装置６には、確認画面４２が表示されている。この確認画面４２には、例えば「ＨＤＭＩ端子１又はＨＤＭＩ端子２に接続してください。既に接続していればＯＫを選択してください。」という、ユーザにＨＤＭＩケーブル８の接続先の変更を促すメッセージが表示されている。
【００６１】
この時、ＨＤＭＩケーブル８がＨＤＲ対応の「ＨＤＭＩ端子１」（ＨＤＭＩ端子１２）又は「ＨＤＭＩ端子２」（ＨＤＭＩ端子１４）に接続されている場合には、ユーザは、ＨＤＭＩケーブル８の接続先を変更することなく、表示装置６のリモコン等を操作してＯＫボタン４４を選択する。一方、ＨＤＭＩケーブル８がＨＤＲ非対応の「ＨＤＭＩ端子３」（ＨＤＭＩ端子１６）に接続されている場合には、ユーザは、ＨＤＭＩケーブル８の接続先を「ＨＤＭＩ端子１」又は「ＨＤＭＩ端子２」に変更した後に、表示装置６のリモコン等を操作してＯＫボタン４４を選択する。
【００６２】
ユーザが確認画面４２でＯＫボタン４４を選択することにより、図４の（ｂ）に示すような確認画面４６が表示装置６に表示される。この確認画面４６には、例えば「ＨＤＲの設定を変更してください。Ｍｅｎｕ＞Ｓｅｔｕｐ＞ＴＶ  Ｓｅｔｔｉｎｇｓ＞ＨＤＭＩ  ｍｏｄｅで変更できます。」という、ユーザに輝度範囲の設定変更を促すメッセージが表示されている。確認画面４６に表示されている「Ｍｅｎｕ＞Ｓｅｔｕｐ＞ＴＶ  Ｓｅｔｔｉｎｇｓ＞ＨＤＭＩ  ｍｏｄｅ」は、対応情報に含まれる設定方法情報に基づいて表示されている。ユーザは、表示装置６のリモコン等を操作して、輝度範囲をＳＤＲからＨＤＲに設定変更した後に、ＯＫボタン４８を選択する。
【００６３】
次に、図５を参照しながら、表示装置６が「Ｂ社」製の型番「Ｂ−１００１」（図２参照）である場合における確認画面５０の表示例について説明する。図５に示すように、確認画面５０には、例えば「ＨＤＲの設定を変更してください。Ｍｅｎｕ＞Ｓｅｔｕｐ＞ＴＶ  Ｓｅｔｔｉｎｇｓ＞Ｖｉｄｅｏ＞Ｐｅｒｆｏｒｍａｎｃｅｓ＞ＨＤＭＩ＞ＨＤＲで変更できます。」という、ユーザに輝度範囲の設定変更を促すメッセージが表示されている。確認画面５０に表示されている「Ｍｅｎｕ＞Ｓｅｔｕｐ＞ＴＶ  Ｓｅｔｔｉｎｇｓ＞Ｖｉｄｅｏ＞Ｐｅｒｆｏｒｍａｎｃｅｓ＞ＨＤＭＩ＞ＨＤＲ」は、対応情報に含まれる設定方法情報に基づいて表示されている。なお、この場合、図２に示すように、「ＨＤＭＩ端子１」、「ＨＤＭＩ端子２」及び「ＨＤＭＩ端子３」は全てＨＤＲ対応であるため、確認画面５０には、ユーザにＨＤＭＩケーブル８の接続先の変更を促すメッセージは表示されない。ユーザは、表示装置６のリモコン等を操作して、輝度範囲をＳＤＲからＨＤＲ（Ｄｏｌｂｙ）に設定変更した後に、ＯＫボタン５２を選択する。
【００６４】
図３に戻り、上述のようにして表示装置６において輝度範囲がＳＤＲからＨＤＲに設定変更されることにより（Ｓ１１１）、再生装置４の通信部２６は、画像信号の送信（出力）を停止する（Ｓ１１２）。これにより、表示装置６の制御部４０は、確認画面を非表示にさせる（Ｓ１１３）。
【００６５】
［１−５．効果］
次に、実施の形態１に係る再生装置４により得られる効果について説明する。例えばユーザがＨＤＲ対応の映像コンテンツを再生装置４で再生する際に、上述した確認画面４２（４６，５０）を表示装置６に表示させる。これにより、ユーザに対して、例えばＨＤＭＩケーブル８の接続先の変更、又は、表示装置６における輝度範囲の設定変更を促すことができる。その結果、ＨＤＲ対応の映像コンテンツを再生装置４から表示装置６に正しく出力することができる。
【００６６】
（実施の形態２）
［２−１．再生システムの構成］
図６を参照しながら、実施の形態２に係る再生システム２Ａの構成について説明する。図６は、実施の形態２に係る再生システム２Ａの構成を示すブロック図である。なお、図６において、上記実施の形態１の図１の構成要素と同一の構成要素には同一の符号を付して、その説明を省略する。このことは、以下の各実施の形態についても同様である。
【００６７】
図６に示すように、実施の形態２に係る再生システム２Ａでは、サーバ装置２０Ａの記憶部２２Ａは、対応情報を記憶している。すなわち、上記実施の形態１とは異なり、再生装置４Ａには対応情報が予め記憶されていない。
【００６８】
再生装置４Ａの処理部３２Ａは、サーバ装置２０Ａに対して対応情報の送信を要求するための要求信号を生成する。なお、取得部２８及び処理部３２Ａは、制御部３７Ａを構成する。
【００６９】
再生装置４Ａは、上記実施の形態１の受信部３４に代えて、送受信部５４を備えている。送受信部５４は、ネットワーク１８を介して、処理部３２Ａにより生成された要求信号をサーバ装置２０Ａに送信する。また、送受信部５４は、ネットワーク１８を介して、要求信号に基づいてサーバ装置２０Ａから送信された対応情報を受信する。
【００７０】
［２−２．再生システムの動作］
次に、図７を参照しながら、実施の形態２に係る再生システム２Ａの動作について説明する。図７は、実施の形態２に係る再生システム２Ａの動作を示すシーケンス図である。なお、図７において、上記実施の形態１の図３のステップと同一のステップには同一のステップ番号を付して、その説明を省略する。このことは、以下の各実施の形態についても同様である。
【００７１】
図７に示すように、まず、上記実施の形態１と同様に、ステップＳ１０１〜Ｓ１０４が実行される。その後、再生装置４Ａの送受信部５４は、要求信号をサーバ装置２０Ａに送信する（Ｓ２０１）。サーバ装置２０Ａは、再生装置４Ａからの要求信号を受信し（Ｓ２０２）、受信した要求信号に基づいて、記憶部２２Ａに記憶されている対応情報を再生装置４Ａに送信する（Ｓ２０３）。
【００７２】
再生装置４Ａの送受信部５４は、サーバ装置２０Ａからの対応情報を受信し（Ｓ２０４）、受信した対応情報を処理部３２Ａに出力する。その後、上記実施の形態１と同様に、ステップＳ１０６〜Ｓ１１３が実行される。
【００７３】
［２−３．効果］
上述したように、対応情報がサーバ装置２０Ａに保持されているので、対応情報を再生装置４Ａに予め記憶させておく必要が無く、再生装置４Ａにおける記憶容量を節約することができる。また、サーバ装置２０Ａにおいて対応情報の更新処理を容易に実行することができる。
【００７４】
（実施の形態３）
［３−１．再生システムの構成］
次に、図８を参照しながら、実施の形態３に係る再生システム２Ｂの構成について説明する。図８は、実施の形態３に係る再生システム２Ｂの構成を示すブロック図である。
【００７５】
図８に示すように、実施の形態３に係る再生システム２Ｂでは、再生装置４Ｂの通信部２６Ｂは、表示装置６Ｂとの間でＣＥＣ（Ｃｏｎｓｕｍｅｒ  Ｅｌｅｃｔｒｏｎｉｃｓ  Ｃｏｎｔｒｏｌ）コマンドを送受信するＣＥＣ通信インタフェースである。また、表示装置６Ｂの通信部３８Ｂは、再生装置４Ｂとの間でＣＥＣコマンドを送受信するＣＥＣ通信インタフェースである。
【００７６】
なお、ＨＤＭＩ規格では、複数のＨＤＭＩ機器間でリンクするためのＣＥＣが規定されている。ＣＥＣに従って、複数のＨＤＭＩ機器間で双方向にＣＥＣコマンドが通信される。この通信をＣＥＣ通信と呼ぶ。
【００７７】
再生装置４Ｂの処理部３２Ｂは、表示装置６Ｂに対して対応情報の送信を要求するためのＣＥＣコマンドである要求信号を生成する。なお、処理部３２Ｂは、例えばＣＥＣのＶｅｎｄｏｒ  Ｓｐｅｃｉｆｉｃコマンドを利用して要求信号を生成する。再生装置４Ｂの記憶部３０Ｂは、表示装置６Ｂから送信された対応情報を記憶する。なお、取得部２８及び処理部３２Ｂは、制御部３７Ｂを構成する。
【００７８】
表示装置６Ｂは、対応情報を記憶する記憶部５６を備えている。すなわち、上記実施の形態１とは異なり、再生装置４Ｂには対応情報が予め記憶されていない。記憶部５６に記憶されている対応情報は、再生装置４Ｂに接続されている表示装置６Ｂに関する情報のみを含んでいる。
【００７９】
表示装置６Ｂの制御部４０Ｂは、再生装置４Ｂからの要求信号に基づいて、記憶部５６に記憶されている対応情報を再生装置４Ｂに通知するためのＣＥＣコマンドである応答信号を生成する。なお、制御部４０Ｂは、例えばＣＥＣのＶｅｎｄｏｒ  Ｓｐｅｃｉｆｉｃコマンドを利用して応答信号を生成する。応答信号は、ＨＤＭＩケーブル８の現在の接続先（すなわち、表示装置６ＢのＨＤＭＩ端子１２，１４及び１６のうちいずれか）を示す情報を含んでいる。
【００８０】
［３−２．再生システムの動作］
次に、図９〜図１１を参照しながら、実施の形態３に係る再生システム２Ｂの動作について説明する。図９は、実施の形態３に係る再生システム２Ｂの動作を示すシーケンス図である。図１０は、実施の形態３に係る確認画面５８の表示例を示す図である。図１１は、実施の形態３に係る確認画面６２の表示例を示す図である。
【００８１】
図９に示すように、まず、上記実施の形態１と同様に、ステップＳ１０１〜Ｓ１０４及びＳ１０６が実行される。その後、再生装置４Ｂの処理部３２Ｂは、ＣＥＣコマンドである要求信号を生成し、再生装置４Ｂの通信部２６Ｂは、処理部３２Ｂにより生成された要求信号を表示装置６Ｂに送信する（Ｓ３０１）。
【００８２】
表示装置６Ｂの通信部３８Ｂは、再生装置４Ｂからの要求信号を受信し（Ｓ３０２）、受信した要求信号を制御部４０Ｂに出力する。表示装置６Ｂの制御部４０Ｂは、要求信号に基づいて、記憶部５６から対応情報を読み出し、ＣＥＣコマンドである応答信号を生成する。表示装置６Ｂの通信部３８Ｂは、制御部４０Ｂにより生成された応答信号を再生装置４Ｂに送信する（Ｓ３０３）。
【００８３】
再生装置４Ｂの通信部２６Ｂは、表示装置６Ｂからの応答信号を受信し（Ｓ３０４）、受信した応答信号を処理部３２Ｂに出力する。すなわち、処理部３２Ｂは、表示装置６Ｂから送信された応答信号を、通信部２６Ｂを介して受信する。この時、処理部３２Ｂは、応答信号に含まれる対応情報を記憶部３０Ｂに記憶させてもよい。これにより、次回からは、ステップＳ３０１〜Ｓ３０４に代えて、上記実施の形態１のステップＳ１０５を実行すればよい。なお、処理部３２Ｂは、応答信号に基づいてＨＤＭＩケーブル８の現在の接続先を認識することにより、ＨＤＭＩケーブル８の現在の接続先に応じた確認画面の画像信号を生成することができる。その後、上記実施の形態１と同様に、ステップＳ１０７〜Ｓ１１３が実行される。
【００８４】
ここで、応答信号がＨＤＭＩケーブル８の現在の接続先を示す情報を含むことに関連して、ステップＳ１１０における確認画面の表示例について説明する。まず、図１０を参照しながら、表示装置６Ｂが「Ａ社」製の型番「Ａ−１０５」（図２参照）であり、ＨＤＭＩケーブル８がＨＤＲ対応の「ＨＤＭＩ端子１」（ＨＤＭＩ端子１２）又は「ＨＤＭＩ端子２」（ＨＤＭＩ端子１４）に接続されている場合における確認画面５８の表示例について説明する。図１０に示すように、確認画面５８には、例えば「ＨＤＲの設定が有効になっていません。ＨＤＲの設定を変更してください。Ｍｅｎｕ＞Ｓｅｔｕｐ＞ＴＶ  Ｓｅｔｔｉｎｇｓ＞ＨＤＭＩ  ｍｏｄｅで変更できます。」という、ユーザに輝度範囲の設定変更を促すメッセージが表示されている。ユーザは、表示装置６Ｂのリモコン等を操作して、輝度範囲をＳＤＲからＨＤＲに設定変更した後に、ＯＫボタン６０を選択する。
【００８５】
次に、図１１を参照しながら、表示装置６Ｂが「Ａ社」製の型番「Ａ−１０５」（図２参照）であり、ＨＤＭＩケーブル８がＨＤＲ非対応の「ＨＤＭＩ端子３」（ＨＤＭＩ端子１６）に接続されている場合における確認画面６２の表示例について説明する。図１１に示すように、確認画面６２には、例えば「ＨＤＲに対応していない端子に接続しています。ＨＤＭＩ端子１又はＨＤＭＩ端子２に接続してください。」という、ユーザにＨＤＭＩケーブル８の接続先の変更を促すメッセージが表示されている。ユーザは、ＨＤＭＩケーブル８の接続先を「ＨＤＭＩ端子１」又は「ＨＤＭＩ端子２」に変更した後に、表示装置６Ｂのリモコン等を操作してＯＫボタン６４を選択する。
【００８６】
［３−３．効果］
上述したように、対応情報が表示装置６Ｂに保持されているので、対応情報を再生装置４Ｂに予め記憶させておく必要が無く、再生装置４Ｂにおける記憶容量を節約することができる。
【００８７】
（実施の形態４）
［４−１．再生システムの構成］
次に、図１２を参照しながら、実施の形態４に係る再生システム２Ｃの構成について説明する。図１２は、実施の形態４に係る再生システム２Ｃの構成を示すブロック図である。
【００８８】
図１２に示すように、実施の形態４に係る再生システム２Ｃでは、再生装置４Ｃの処理部３２Ｃは、例えば再生装置４Ｃを購入後に初めて起動した際に、ユーザにＨＤＭＩケーブル８を表示装置６のＨＤＭＩ端子１２，１４及び１６の各々に順に接続するように促すための確認画面の画像信号を生成する。
【００８９】
再生装置４Ｃの取得部２８Ｃは、ＨＤＭＩケーブル８を表示装置６のＨＤＭＩ端子１２，１４及び１６の各々に接続する毎に、表示装置６からＥＤＩＤ情報を取得する。取得部２８Ｃは、取得した複数のＥＤＩＤ情報に基づいて対応情報を生成し、生成した対応情報を記憶部３０Ｃに記憶させる。なお、取得部２８Ｃ及び処理部３２Ｃは、制御部３７Ｃを構成する。
【００９０】
［４−２．再生システムの動作］
次に、図１３及び図１４を参照しながら、実施の形態４に係る再生システム２Ｃの動作について説明する。図１３は、実施の形態４に係る再生システム２Ｃの動作を示すシーケンス図である。図１４は、実施の形態４に係る確認画面６６の表示例を示す図である。
【００９１】
図１３に示すように、まず、上記実施の形態１と同様に、ステップＳ１０１及びＳ１０２が実行される。その後、再生装置４Ｃの処理部３２Ｃは、ユーザにＨＤＭＩケーブル８を表示装置６のＨＤＭＩ端子１２に接続するように促すための確認画面の画像信号を生成する。再生装置４Ｃの通信部２６は、処理部３２Ｃにより生成された画像信号を表示装置６に送信（出力）する（Ｓ４０１）。
【００９２】
表示装置６の通信部３８は、再生装置４Ｃからの画像信号を受信（入力）する（Ｓ４０２）。表示装置６の制御部４０は、画像信号に基づいて、確認画面を表示装置６に表示させる（Ｓ４０２）。
【００９３】
ここで、ステップＳ４０２における確認画面の表示例について説明する。図１４に示すように、確認画面６６には、例えば「ＨＤＭＩ端子１に接続してください。」という、ユーザにＨＤＭＩケーブル８を表示装置６の「ＨＤＭＩ端子１」（ＨＤＭＩ端子１２）に接続するように促すメッセージが表示されている。ユーザは、ＨＤＭＩケーブル８を表示装置６のＨＤＭＩ端子１２に接続し（Ｓ４０４）、表示装置６のリモコン等を操作してＯＫボタン６８を選択する。
【００９４】
表示装置６の通信部３８は、ＥＤＩＤ情報を再生装置４Ｃに送信する（Ｓ４０５）。このＥＤＩＤ情報は、表示装置６のＨＤＭＩ端子１２における対応輝度範囲（ＨＤＲの対応／非対応）を示す情報等を含んでいる。再生装置４Ｃの通信部２６は、表示装置６からのＥＤＩＤ情報を受信する（Ｓ４０６）。再生装置４Ｃの取得部２８Ｃは、通信部２６を介してＥＤＩＤ情報を取得する。
【００９５】
その後、再生装置４Ｃの処理部３２Ｃは、ユーザにＨＤＭＩケーブル８を表示装置６のＨＤＭＩ端子１４に接続するように促すための確認画面の画像信号を生成する。再生装置４Ｃの通信部２６は、処理部３２Ｃにより生成された画像信号を表示装置６に送信（出力）する（Ｓ４０７）。表示装置６の通信部３８は、再生装置４Ｃからの画像信号を受信（入力）する（Ｓ４０８）。表示装置６の制御部４０は、画像信号に基づいて、確認画面を表示装置６に表示させる（Ｓ４０９）。図示しないが、この確認画面には、例えば「ＨＤＭＩ端子２に接続してください。」という、ユーザにＨＤＭＩケーブル８を表示装置６の「ＨＤＭＩ端子２」（ＨＤＭＩ端子１４）に接続するように促すメッセージが表示されている。ユーザは、ＨＤＭＩケーブル８を表示装置６のＨＤＭＩ端子１４に接続し（Ｓ４１０）、表示装置６Ｂのリモコン等を操作してＯＫボタンを選択する。
【００９６】
表示装置６の通信部３８は、ＥＤＩＤ情報を再生装置４Ｃに送信する（Ｓ４１１）。このＥＤＩＤ情報は、表示装置６のＨＤＭＩ端子１４における対応輝度範囲を示す情報等を含んでいる。再生装置４Ｃの通信部２６は、表示装置６からのＥＤＩＤ情報を受信する（Ｓ４１２）。再生装置４Ｃの取得部２８Ｃは、通信部２６を介してＥＤＩＤ情報を取得する。
【００９７】
その後、再生装置４Ｃの処理部３２Ｃは、ユーザにＨＤＭＩケーブル８を表示装置６のＨＤＭＩ端子１６に接続するように促すための確認画面の画像信号を生成する。再生装置４Ｃの通信部２６は、処理部３２Ｃにより生成された画像信号を表示装置６に送信（出力）する（Ｓ４１３）。表示装置６の通信部３８は、再生装置４Ｃからの画像信号を受信（入力）する（Ｓ４１４）。表示装置６の制御部４０は、画像信号に基づいて、確認画面を表示装置６に表示させる（Ｓ４１５）。図示しないが、この確認画面には、例えば「ＨＤＭＩ端子３に接続してください。」という、ユーザにＨＤＭＩケーブル８を表示装置６の「ＨＤＭＩ端子３」（ＨＤＭＩ端子１６）に接続するように促すメッセージが表示されている。ユーザは、ＨＤＭＩケーブル８を表示装置６のＨＤＭＩ端子１６に接続し（Ｓ４１６）、表示装置６Ｂのリモコン等を操作してＯＫボタンを選択する。
【００９８】
表示装置６の通信部３８は、ＥＤＩＤ情報を再生装置４Ｃに送信する（Ｓ４１７）。このＥＤＩＤ情報は、表示装置６のＨＤＭＩ端子１６における対応輝度範囲を示す情報等を含んでいる。再生装置４Ｃの通信部２６は、表示装置６からのＥＤＩＤ情報を受信する（Ｓ４１８）。再生装置４Ｃの取得部２８Ｃは、通信部２６を介してＥＤＩＤ情報を取得する。
【００９９】
再生装置４Ｃの取得部２８Ｃは、ステップＳ４０６，Ｓ４１２及びＳ４１８でそれぞれ受信した複数のＥＤＩＤ情報に基づいて、対応情報を生成する（Ｓ４１９）。すなわち、この対応情報は、表示装置６のＨＤＭＩ端子１２，１４及び１６の各々における対応輝度範囲を示す情報等を含んでいる。取得部２８Ｃは、生成した対応情報を記憶部３０Ｃに記憶させる。
【０１００】
［４−３．効果］
上述したように、例えば再生装置４Ｃを購入後に初めて起動する際に、ユーザが再生装置４ＣをＨＤＭＩ端子１２，１４及び１６の各々と順に接続することにより、接続する毎に取得した複数のＥＤＩＤ情報に基づいて対応情報を生成することができる。これにより、表示装置６に再生システム２Ｃ専用のソフトウェアを組み込む必要が無く、表示装置６の汎用性を高めることができる。
【０１０１】
（実施の形態５）
［５−１．再生システムの構成］
次に、図１５を参照しながら、実施の形態５に係る再生システム２Ｄの構成について説明する。図１５は、実施の形態５に係る再生システム２Ｄの構成を示すブロック図である。
【０１０２】
図１５に示すように、実施の形態５に係る再生システム２Ｄでは、再生装置４Ｄの通信部２６Ｄは、表示装置６Ｄとの間でＣＥＣコマンドを送受信するＣＥＣ通信インタフェースである。また、表示装置６Ｄの通信部３８Ｄは、再生装置４Ｄとの間でＣＥＣコマンドを送受信するＣＥＣ通信インタフェースである。
【０１０３】
再生装置４Ｄの記憶部３０には、上記実施の形態１と同様に、対応情報が予め記憶されている。再生装置４Ｄの処理部３２Ｄは、記憶部３０に記憶されている対応情報に基づいて、表示装置６Ｄに対して輝度範囲をＳＤＲからＨＤＲに設定変更するように指示するためのＣＥＣコマンドである指示信号を生成する。指示信号は、対応情報に含まれる、輝度範囲を設定する方法を示す設定方法情報（例えば「Ｍｅｎｕ＞Ｓｅｔｕｐ＞ＴＶ  Ｓｅｔｔｉｎｇｓ＞ＨＤＭＩ  ｍｏｄｅ」）を指示情報（特定の輝度範囲への設定変更に関する情報の一例）として含んでいる。なお、取得部２８及び処理部３２Ｄは、制御部３７Ｄを構成する。
【０１０４】
表示装置６Ｄの制御部４０Ｄは、再生装置４Ｄからの指示信号に基づいて、輝度範囲をＳＤＲからＨＤＲに設定変更する処理を実行する。
【０１０５】
［５−２．再生システムの動作］
次に、図１６を参照しながら、実施の形態５に係る再生システム２Ｄの動作について説明する。図１６は、実施の形態５に係る再生システム２Ｄの動作を示すシーケンス図である。
【０１０６】
図１６に示すように、まず、上記実施の形態１と同様に、ステップＳ１０１〜Ｓ１０７が実行される。その後、再生装置４Ｄの処理部３２Ｄは、ＣＥＣコマンドである指示信号を生成し、再生装置４Ｄの通信部２６Ｄは、処理部３２Ｄにより生成された指示信号を表示装置６Ｄに送信する（Ｓ５０１）。すなわち、処理部３２Ｄは、生成した指示信号を、通信部２６Ｄを介して表示装置６Ｄに送信する。
【０１０７】
表示装置６Ｄの通信部３８Ｄは、再生装置４Ｄからの指示信号を受信し（Ｓ５０２）、受信した指示信号を制御部４０Ｄに出力する。表示装置６Ｄの制御部４０Ｄは、指示信号に基づいて、輝度範囲をＳＤＲからＨＤＲに設定変更する処理を実行する（Ｓ５０３）。
【０１０８】
［５−３．効果］
上述したように、表示装置６Ｄに対して輝度範囲をＳＤＲからＨＤＲに設定変更するように指示するための指示信号を表示装置６Ｄに送信するので、表示装置６Ｄにおいて輝度範囲をＳＤＲからＨＤＲに自動で設定変更することができる。これにより、ユーザの利便性を高めることができる。なお、本実施の形態と上記実施の形態３とを組み合わせてもよい。
【０１０９】
（変形例）
以上、本発明の実施の形態１〜５に係る再生装置について説明したが、本発明は、これらの実施の形態１〜５に限定されるものではない。例えば、上記各実施の形態をそれぞれ組み合わせてもよい。
【０１１０】
上記各実施の形態では、確認画面を表示装置６（６Ｂ）に表示させるための画像信号を、再生装置４（４Ａ，４Ｂ，４Ｃ）から表示装置６（６Ｂ）に送信したが、これに限定されず、例えば確認音声を表示装置６（６Ｂ）から出力させるための音声信号を、再生装置４（４Ａ，４Ｂ，４Ｃ）から表示装置６（６Ｂ）に送信してもよい。この場合、確認音声は、ＨＤＲへの設定変更に関する情報をユーザに提供するための音声メッセージである。確認音声は、例えば「ＨＤＭＩ端子１又はＨＤＭＩ端子２に接続してください。既に接続していればＯＫを選択してください。」という、ユーザにＨＤＭＩケーブル８の接続先の変更を促す音声メッセージ等である。
【０１１１】
また、上記の各装置は、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ、ディスプレイユニット、キーボード及びマウス等から構成されるコンピュータシステムとして構成されてもよい。ＲＡＭ又はハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１１２】
さらに、上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ及びＲＡＭ等を含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１１３】
さらにまた、上記の各装置を構成する構成要素の一部又は全部は、各装置に脱着可能なＩＣカード又は単体のモジュールから構成されているとしてもよい。ＩＣカード又はモジュールは、マイクロプロセッサ、ＲＯＭ及びＲＡＭ等から構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【０１１４】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【０１１５】
さらに、本発明は、上記コンピュータプログラム又は上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ、半導体メモリ等に記録したものとしてもよい。また、これらの非一時的な記録媒体に記録されている上記デジタル信号であるとしてもよい。
【０１１６】
また、本発明は、上記コンピュータプログラム又は上記デジタル信号を、電気通信回線、無線又は有線通信回線、インターネットを代表とするネットワーク、データ放送等を経由して伝送するものとしてもよい。
【０１１７】
また、本発明は、マイクロプロセッサ及びメモリを備えたコンピュータシステムであって、上記メモリは、上記コンピュータプログラムを記憶しており、上記マイクロプロセッサは、上記コンピュータプログラムに従って動作するとしてもよい。
【０１１８】
また、上記プログラム又は上記デジタル信号を上記非一時的な記録媒体に記録して移送することにより、又は、上記プログラム又は上記デジタル信号を上記ネットワーク等を経由して移送することにより、独立した他のコンピュータシステムにより実施するとしてもよい。
【０１１９】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【産業上の利用可能性】
【０１２０】
本発明の再生装置は、例えばＤＶＤ又はＢＤ等に格納された映像コンテンツを再生するためのデジタルビデオプレーヤ等として適用することができる。
【符号の説明】
【０１２１】
２，２Ａ，２Ｂ，２Ｃ，２Ｄ  再生システム
４，４Ａ，４Ｂ，４Ｃ，４Ｄ  再生装置
６，６Ｂ，６Ｄ  表示装置
８  ＨＤＭＩケーブル
１０，１２，１４，１６  ＨＤＭＩ端子
１８  ネットワーク
２０，２０Ａ  サーバ装置
２２，２２Ａ，３０，３０Ｂ，３０Ｃ，５６  記憶部
２４  再生部
２６，２６Ａ，２６Ｂ，２６Ｄ，３８，３８Ｂ，３８Ｄ  通信部
２８，２８Ｃ  取得部
３２，３２Ａ，３２Ｂ，３２Ｃ，３２Ｄ  処理部
３４  受信部
３６  更新実行部
３７，３７Ａ，３７Ｂ，３７Ｃ，３７Ｄ，４０，４０Ｂ，４０Ｄ  制御部
４２，４６，５０，５８，６２，６６  確認画面
４４，４８，５２，６０，６４，６８  ＯＫボタン
５４  送受信部
【図１】
2019140430.tif 000003
【図２】
2019140430.tif 000004
【図３】
2019140430.tif 000005
【図４】
2019140430.tif 000006
【図５】
2019140430.tif 000007
【図６】
2019140430.tif 000008
【図７】
2019140430.tif 000009
【図８】
2019140430.tif 000010
【図９】
2019140430.tif 000011
【図１０】
2019140430.tif 000012
【図１１】
2019140430.tif 000013
【図１２】
2019140430.tif 000014
【図１３】
2019140430.tif 000015
【図１４】
2019140430.tif 000016
【図１５】
2019140430.tif 000017
【図１６】
2019140430.tif 000018